(57)【要約】【目的】鉛筆軸表面の全面にコーティングシールを簡単且つ美麗に巻付ける専用の装置とコーティング用シールを提供する。【構成】鉛筆軸表面を覆うに足るサイズとされたコーティングシール３、３ａを所定位置に配置するシール保持部４、保持されたシール３、３ａを巻付けてコーティングする鉛筆２を適切な位置に保持するための鉛筆ガイド部５、保持された鉛筆２を回転してシールを巻付けるための鉛筆回転機構１０、シールコーティングにより直径を増した回転中の鉛筆をも適正な位置に固定しておくための調整機構１１を備えた鉛筆固定部材６、鉛筆回転機構１０を操作する回転操作部８よりなる鉛筆シール巻付け装置。【選択図】            図１
2005024801.tif 000002
【特許請求の範囲】
【請求項１】
鉛筆軸表面を覆うに足るサイズとされたコーティングシールを所定位置に配置するシール保持部、保持されたシールを巻付けてコーティングする鉛筆を適切な位置に保持するための鉛筆ガイド部、保持された鉛筆を回転してシールを巻付けるための鉛筆回転機構、シールコーティングにより直径を増した回転中の鉛筆をも適正な位置に固定しておくための調整機構を備えた鉛筆固定部材、鉛筆回転機構を操作する回転操作部よりなることを特徴とする鉛筆シール巻付け装置。
【請求項２】
所定サイズの鉛筆の軸部表面を全面的にコーティングするに適した長さ及び幅とされたことを特徴とする鉛筆コーティング用シール。
【請求項３】
鉛筆軸表面に装飾的な小型シール材を貼付けた上にコーティング用シールを巻付けても小型シール材端部と鉛筆軸表面との間に気泡などが生じないようにコーティング用シールの素材自体に伸縮性を持たせていることを特徴とする請求項２に記載の鉛筆コーティング用シール。
【発明の詳細な説明】
【０００１】
【発明の属する技術分野】
本発明は、鉛筆軸表面の全面にコーティングシールを簡単且つ美麗に巻付ける専用の装置とコーティング用シールに関するものである。
【０００２】
【従来の技術】
鉛筆は筆記用具として古くから広く使われているものであり、特に小学生などの学童が授業において文字を書く場合には略１００％の利用がなされている。シャープペンシルなどが普及していても鉛筆と併用されるのが一般的で、学童の筆箱には鉛筆が入っていないことはないと言える。
【０００３】
このような学童向けの鉛筆は、筆記軸表面の色彩や模様にヴァリエーションを設けたり、様々なキャラクターデザインを採用することで美感を高め、趣味性やコレクション性に訴える商品展開などが行なわれている。
【０００４】
また、鉛筆を購入して使用する者が軸部表面に好みに応じて小型のシールなどを貼り付けてオリジナル性のある独自の鉛筆を作り上げて使用するといったことも行なわれている。なお、小学校低学年の児童などの持ち物については、それぞれに名前を記載しておくことが要求されることが多く、鉛筆の如きについては一本毎に筆記軸部に名前シールを貼り付ける等の対処がなされている。
【０００５】
【発明が解決しようとする課題】
しかし、上記したような従来の技術では文具メーカーが製造する製品群として多様な種類の鉛筆を選択可能なものとすることができているが、鉛筆の使用者が自己の好みを反映した独自のオリジナリティを備えた鉛筆を作成するようなことはなされていない。
【０００６】
小型のシールの如きを貼り付けることで若干のオリジナルデザイン性が実現されるとしても、貼り付けたシールは使用を重ねることで端部から剥がれてしまう場合が多く、これを透明シールでラッピングするとしてもハンドメイドでこれを完全且つ美麗に仕上げることは至難である。また、通常の太さの鉛筆全体にシールを重ね貼りすると全体の太さが増加してしまい、鉛筆削りの作業などで支障を来たす原因になってしまう危険がある。
【０００７】
なお、小学校低学年の児童向けに鉛筆の筆記軸表面に名前シールを貼り付ける場合も、単に貼っただけでは、やはり使用を重ねることで端部から剥がれてしまうおそれがあり、それ以外にも名前を書いたインクが指先に触れることで滲んで汚れてしまうといったことも起こり得る。
【０００８】
【課題を解決するための手段】
本発明は、上記したような従来技術における課題を解消することについて、実験と検討を繰り返し行い創案されたものであって、鉛筆の筆記軸表面の全面を簡単且つ美麗にシールコーティングする専用装置とコーティング用シールを提案するものであって、具体的には以下のとおりである。
【０００９】
（１）  鉛筆軸表面を覆うに足るサイズとされたコーティングシールを所定位置に配置するシール保持部、保持されたシールを巻付けてコーティングする鉛筆を適切な位置に保持するための鉛筆ガイド部、保持された鉛筆を回転してシールを巻付けるための鉛筆回転機構、シールコーティングにより直径を増した回転中の鉛筆をも適正な位置に固定しておくための調整機構を備えた鉛筆固定部材、鉛筆回転機構を操作する回転操作部よりなることを特徴とする鉛筆シール巻付け装置。
【００１０】
（２）  所定サイズの鉛筆の軸部表面を全面的にコーティングするに適した長さ及び幅とされたことを特徴とする鉛筆コーティング用シール。
【００１１】
（３）  鉛筆軸表面に装飾的な小型シール材を貼付けた上にコーティング用シールを巻付けても小型シール材端部と鉛筆軸表面との間に気泡などが生じないようにコーティング用シールの素材自体に伸縮性を持たせていることを特徴とする前記（２）項に記載の鉛筆コーティング用シール。
【００１２】
【作用】
鉛筆軸表面を覆うに足るサイズとされたコーティングシールを所定位置に配置するシール保持部、保持されたシールを巻付けてコーティングする鉛筆を適切な位置に保持するための鉛筆ガイド部、保持された鉛筆を回転してシールを巻付けるための鉛筆回転機構、シールコーティングにより直径を増した回転中の鉛筆をも適正な位置に固定しておくための調整機構を備えた鉛筆固定部材、鉛筆回転機構を操作する回転操作部よりなる鉛筆シール巻付け装置により、鉛筆の筆記軸表面の全面に対するシールコーティングを誰もが簡単かつ美麗な仕上げ状態のものとして行なうことができるようになる。
【００１３】
所定サイズの鉛筆の軸部表面を全面的にコーティングするに適した長さ及び幅とした専用の鉛筆コーティング用シールを準備することで、所定サイズ（所定の筆記軸長さや太さ）の鉛筆に対するシールコーティングがシールのカッティングなどといった煩雑な作業を行なうことなしで実現可能なものとなる。
【００１４】
鉛筆軸表面に装飾的な小型シール材を貼付けた上にコーティング用シールを巻付けても小型シール材端部と鉛筆軸表面との間に気泡などが生じないようにコーティング用シールの素材自体に伸縮性を持たせていることで、鉛筆筆記軸表面とコーティング用シールとの間に部分的に装飾用の小型シール材が存在して部分的な多層構造が形成されるような場合であっても、若干の凹凸が存在してもシールの伸縮性によって吸収できるので、小型シール材の端部と筆記軸表面との境界部分に気泡が入ったり捩れが生じることによるシールコーティングの仕上がり状態の不具合発生を防止できるようになる。
【００１５】
【発明の実施の形態】
上記した本発明の具体的な実施態様の若干例を添付図面に示すところに従って説明すると以下の如くである。
すなわち、図１は本発明による鉛筆シール巻付け装置の１形態をその使用状況と共に説明する図面である。
【００１６】
この鉛筆シール巻付け装置１は、鉛筆２の軸表面全体を専用のコーティングシール３によってコーティングする作業を簡易且つ確実に行なうために用いるものである。
この作業の一般的な手順としては、まず、（ａ）に示すように、コーティングシール３をシール保持部４の所定位置に粘着面を上にしてセットし、鉛筆２を鉛筆ガイド部５にセットすると共に鉛筆２とコーティングシール３との位置関係を所定のものに固定するために鉛筆固定部材６をセットすることでコーティング作業自体の準備は完了する。また、このコーティングシール３の大きさとしては、鉛筆２の筆記軸表面をちょうど一周巻付けるに相応しいものとしなければならないので、標準的な鉛筆の長さ及び筆記軸の直径サイズから、縦    ｍｍ×横    ｍｍとしておけばよい。
【００１７】
次いで、（ｂ）に示すように装飾目的で鉛筆軸表面に適宜な配置で小型シール７を貼り付けるために、セットされたコーティングシール３の所望箇所に小型シール７を、その粘着面を上にした状態で配置する。この小型シール７は一般に市販されている薄型シールであればその模様や色彩、形状はどのようなものであっても構わない。また、小型シール７の大きさは鉛筆２の筆記軸表面に貼り付けた状態でも重なり合いが生じない程度のものに制限されるべきである。
【００１８】
このような小型シール７であれば、事前に鉛筆２の筆記軸表面に貼り付けておいて、その状態に対して本発明を実施して筆記軸全面に対するコーティングシール３の貼り付けを行なうものとしても構わない。しかし、事前に小型シール７を貼り付けておく場合には、貼り付けられた小型シール７の端部分がめくれ上がってしまったり、表面に汚れが付着するなどの不具合が生じる可能性があり、コーティングシール３による巻付け仕上げ状態が美麗なものとなり難い場合がある。
【００１９】
このように装飾的な小型シール７の配置まで終えたならば、（ｃ）に示すように鉛筆シール巻付け装置１の一端部に備えられた回転操作部８を手回しして、鉛筆ガイド部５にセットされた鉛筆２にコーティングシール３を巻き付けてやりながら回転操作する。回転操作部８を手回しすることにより鉛筆シール巻付け装置１に内蔵された複数のギア９の組合わせによって構成されている鉛筆回転機構１０が駆動され、鉛筆ガイド部５にセットされ鉛筆固定部材６によって適切な状態で固定された鉛筆２がセットしたコーティングシール３を正確に巻き付けながら回転動作するものである。
【００２０】
（ｄ）に示されるように、回転操作部８を手回し操作して鉛筆ガイド部５にセットされた鉛筆２を１回転させると、コーティングシール３も筆記軸表面をちょうど一回り巻付いて接着端部が僅かに重なり合ってコーティング作業が完了する。このとき、（ｂ）の段階で所望箇所に配置しておいた小型シール７はその表側を表して鉛筆軸表面の所望箇所に適切に貼り付けられることとなり、コーティングシール３によるコーティングをされているので、端部がめくれて剥がれたり、表面が汚損されるようなことはなくなり、美麗な仕上げ状態が維持されることとなる。
【００２１】
上記してきたコーティングシール３は仕上げコーティング用のものであり、鉛筆２自体の筆記軸表面デザインや所望箇所に配置した小型シール７の表面側デザインがコーティングシール３越しに見えるように透明なプラスチックシート材の如きを素材として利用するのが望ましい。但し、完全に透明である必要はなく、色彩を伴った透明であって構わないし、若干の模様デザインを伴ったものであっても差し支えない。
【００２２】
また、この仕上げ用のコーティングシール３は、鉛筆軸表面との間に挟まれる小型シール７により形成される僅かな凹凸によって美麗な仕上がり状態が損なわれることがないように、この程度の凹凸を吸収すべく若干の伸縮性を持った素材を利用するようにしている。この伸縮性によって、鉛筆２の筆記軸の周りをちょうどを１周巻付けるに相応しいサイズとされたコーティングシール３の端部同士が僅かに重なり合って接着してコーティング作業が完了することになり、素材の伸縮性によって確実な接着関係が維持されることになるので、コーティングシール３の端部から部分的に剥がれることが防止される。
【００２３】
以上は、鉛筆２の筆記軸表面に仕上げ用のコーティングシール３を１枚だけ巻付けコーティングする場合について述べてきたが、より美しく、また、多様な表現を採った仕上げ状態を実現するために、ベースとなる鉛筆２に下地シール３ａを巻付けコーティングした上で上記した仕上げ用コーティングシール３による仕上げコーティングを行い、下地シール３ａと仕上げ用コーティングシール３との間に小型シール７を挟みこむような形式としてもよい。
また、小型シール７のヴァリエーションとして名前シール７ａを採用するものとすれば、学童などの名前を美麗且つ剥がれることがないものとして鉛筆２に貼付けることが可能となる。
【００２４】
この下地シール３ａを利用することで、小型シール７の接着状態も良好になり、また、仕上げ用コーティングシール３の仕上がり状態もより良好なものとなし得る。さらに、この下地シール３ａは必ずしも透明である必要はない。すなわち、ベースとする鉛筆２自体の筆記軸表面デザインを活かした最終仕上がり状態を望むのであればこの下地シール３も透明素材である必要があるが、ベース鉛筆２の筆記軸表面自体をまったく別のものにしたい場合には、様々な色彩や模様を施した下地シール３ａを任意に選択可能なものとして準備しておくことができる。
【００２５】
つまり、このような下地シール３ａを用いることにより、ベース鉛筆２の筆記軸表面の元々のデザインに依存することなく、完全にオリジナルなデザインを施した鉛筆を自由に作ることが可能となるものである。
【００２６】
また、この場合の下地シール３ａは仕上げ用コーティングシール３と異なり伸縮性を備えている必要はない。下地シール３ａとして具体的に用いるに相応しい素材としてはＰＥＴ２５♯があり、若干の伸縮性がある仕上げ用コーティングシール３に相応しい素材としてはポリオレフィン１００♯がある。なお、下地シール３ａのサイズも標準的な鉛筆２に対するものであれば上記した仕上げ用のコーティングシール３の場合と同様で問題ない。仕上げ用コーティングシール３は伸縮性を有するので、下地シール３ａを巻付けたことにより僅かに鉛筆２の直径が増しているとしても十分に対処できるからである。
【００２７】
上記のように下地シール３ａをも含めて小型シール７及び仕上げ用コーティングシール３を使って最大３層のシールコーティングを鉛筆２の筆記軸表面に施す場合には、それぞれのシールの厚さが相当に薄いものに規制できるとしても全体としては、少なくとも部分的にそれなりの厚さのコーティング層となってしまうことは否定できない。したがって、ベースとする鉛筆２の筆記軸部太さと本発明によるコーティング処理を完了した状態の筆記軸部太さを比較すると相当な相違が生じていることになり、コーティング前の鉛筆２とコーティング後の鉛筆２を共に鉛筆ガイド部５にセットし鉛筆固定部材６によって適切に固定しながらスムースに回転操作することには技術的困難性が存在している。
【００２８】
したがって、本発明の鉛筆シール巻付け装置１においては、図１に示されるように鉛筆固定部材６の一端部にスプリングなどの弾性部材を利用した調整機構１１を備え付け、鉛筆ガイド部５にセットされた鉛筆２の筆記軸太さの変化に対処できるものとしている。
【００２９】
このように調整機構１１を採用することで、鉛筆ガイド部５にセットする鉛筆２の筆記軸太さに若干の幅が生じても鉛筆固定部材６によって確実に固定しながらスムースな回転操作を実現することができる。したがって、調整範囲内であれば標準的な筆記軸太さでない鉛筆２であっても本発明の鉛筆シール巻付け装置１を用いて適切なシールコーティングを実現することができる（但し、この場合にはコーティングシール３のサイズをコーティング処理しようとする鉛筆の筆記軸太さに合わせて準備しなければならない）。
【００３０】
また、この調整機構１１の調整機能によって追随可能な範囲であれば、鉛筆２の筆記軸断面形状は円形であれば勿論、一般的に広く用いられている六角形形状であっても満足のいくシールコーティングが実現可能である。
【００３１】
図２は、本発明を実施する際に用いる鉛筆シール巻付け装置１、ベース鉛筆２、仕上げ用コーティングシール３、下地用コーティングシール３ａ、デザイン装飾目的で使用する小型シール７を一組のセットとした状態を示す図面である。
【００３２】
すなわち、鉛筆シール巻付け装置１とベース鉛筆２を数本、下地用コーティングシール３ａおよび仕上げ用コーティングシール３をそれぞれ数枚ずつ、各種キャラクターや模様などを用いた小型シール７のセットを数種類一まとめにして商品化することでユーザーの便宜を図るものである。
【００３３】
上記したように、ベース鉛筆２は下地用コーティングシール３ａや小型シール７、仕上げ用コーティングシール３を重ねて貼付けることでその筆記軸太さが増してしまうことは否定できない。このように標準的な鉛筆の筆記軸太さよりも太くなってしまうことで鉛筆削り機による鉛筆削り作業が若干スムースに行なえない可能性をも考慮する場合には、上記セットに用いるベース鉛筆２としては、標準的な鉛筆よりも若干その筆記軸太さが細いものを準備するのが望ましい。
【００３４】
また、小型シール７やベース鉛筆２、各コーティングシール３、３ａなどはそれぞれに多様なヴァリエーションがあるものとして準備し、利用者は個々の好みに応じてそれぞれの単品を購入できるようにしておくべきことは当然である。
【００３５】
さらに、図示では小型シール７の特別な形態として鉛筆端部用シール７ｂも示している。これは仕上げコーティング作業まで完了した鉛筆２の筆記軸端部面の一方に貼り付けるようにその形状やデザインを構成したもので、先端を削って筆記部として使用する筆記軸端部の反対側端部に用いるものである。
【００３６】
また、さらにこのような筆記部として使用しない鉛筆筆記軸端部には、本発明により形成されるオリジナルデザインのコーティングに適合するようなキャラクター形状部材や消しゴムなどを任意に取り付け得る構成とすることで関連商品のより広い展開が可能となる。
【００３７】
本発明によりシールコーティングされた鉛筆２は、標準的な鉛筆と比較するとその筆記軸太さが若干太いものとなっており、普通の鉛筆削り機ではスムースな鉛筆削り作業ができない場合も考えられる。そこで、図２のように関連周辺商品をも含めてセット販売等する場合には、本発明によるコーティング鉛筆２の特性に配慮した専用鉛筆削り機１２を合わせてセットに入れるものとしてもよい。
【００３８】
なお、図２の鉛筆シール巻付け装置１は図１とは別の外観デザインを採用している。つまり、外観デザイン自体は本発明装置としての機能が満足されていればどのような形状や模様等であっても充分に実現可能なものとなっている。したがって、対象とするユーザーの一般的な好みを調べて、その結果に基づいて相応しい外観デザインを採用することができるものである。また、鉛筆シール巻付け装置１の外観デザイン表面に各種キャラクター形状などをペイントするなどして趣味性やコレクション性に訴える商品展開なども当然に可能である。
【００３９】
【発明の効果】
以上説明したような本発明によるならば、従来一般の鉛筆ユーザーには利用できなかった鉛筆筆記軸表面の全体を装飾用小型シールや名前シールを適宜に配置しながらオリジナルデザインを施したものとして、簡単且つ美麗にシールコーティングすることのできる装置を提供し、併せてその専用コーティングシールやベース鉛筆、装飾用小型シールなどをセットとした新たな商品展開を行なうことが可能となるもので、市場に新たな需要を喚起し得るものであって、工業的にその価値が高い発明である。
【図面の簡単な説明】
【図１】本発明による鉛筆シール巻付け装置の１例について、その使用形態と共に説明した図面である。
【図２】図１とは別の外観形状とした本発明の鉛筆シール巻付け装置と専用のコーティングシール及び関連の周辺商品をまとめてセットとした場合の１形態を示した図面である。
【符号の説明】
１    本発明の鉛筆シール巻付け装置
２  ベース鉛筆
３  仕上げ用コーティングシール
３ａ    下地用コーティングシール
４  コーティングシール保持部
５  鉛筆ガイド部
６  鉛筆固定部材
７  小型シール
７ａ    名前シール
７ｂ  鉛筆端部用シール
８  回転操作部
９  ギア
１０  鉛筆回転機構
１１  調整機構
１２    専用鉛筆削り機
【図１】
2005024801.tif 000003
【図２】
2005024801.tif 000004